(57)【要約】【課題】隠し框構造を有する滑り出し窓などの防火性能の向上を図るための新規な技術を提案する。【解決手段】建物開口部の室外側の周囲には、凹み部２０１，２０２が設けられ、凹み部２０１，２０２に、縦枠および横枠により組まれた枠体の室内側見付け面部の室内側の面（上枠３１における取付片２３１、下枠３４における取付片２３４）を、凹み部の壁面２０３，２０４に当接させて設置することにより、枠体が建物開口部の室内側から見て室内側開口部構成部材（窓額縁７５、７８や樹脂製アングル７１，７４）、により隠蔽された構造とし、枠体（下枠３４）に開閉可能に配置される障子２の枠を構成する框（下框２４）と、枠体（下枠３４）が金属製である。【選択図】図１
2014109129.tif 000002
【特許請求の範囲】
【請求項１】
建物開口部の室外側の周囲に凹み部を設け、
前記凹み部に、縦枠および横枠により組まれた枠体の室内側見付け面部の室内側の面を、
前記凹み部の壁面に当接させて設置することにより、
前記枠体が建物開口部の室内側から見て室内側開口部構成部材により隠蔽された構造とし、
前記枠体に開閉可能に配置される障子の枠を構成する框と、前記枠体が金属製である、サッシ。
【請求項２】
前記障子は開閉可能に構成されるものであり、前記障子を開閉するための開閉操作機構、前記障子が開いた状態を維持するためのフリクションロック機構、前記障子が閉じた状態を維持するための閉ロック機構、といった開閉関連機構を構成するための樹脂部品の一部、又は、全部が、
さらに、防火部材が、
前記枠体の厚み方向の範囲内に収められる構成とする。
ことを特徴とする請求項１に記載のサッシ。
【発明の詳細な説明】
【技術分野】
【０００１】
本発明は、窓（サッシ）の防火性能を向上させるための技術に関する。
【背景技術】
【０００２】
従来、例えば特許文献１に開示されるように、枠体内に内障子と外障子を引違い状に納めてなる引違い窓（引違いサッシ）において、防火性能の向上を図る技術が知られている。
【０００３】
特許文献１では、火災時に下枠の排水経路から熱風や煙などが侵入するのを阻止することで防火性能の向上を図るものであり、火災の熱により発泡して排水孔を塞ぐ耐火材を設ける構成について開示している。
【０００４】
また、特許文献２のように、滑り出し窓（滑り出しサッシ）やＦＩＸ窓などといった装飾窓（飾り窓）の外観をよりシンプルにすることができる開閉装置も知られている。
【０００５】
特許文献２では、障子の框体が、当該框体を囲むサッシの枠体で隠されるいわゆる隠し框構造とするものであり、框体と枠体の見付方向内側端部が略同位置となるようにすることで、室内側から見たときに、枠体によって框体が隠れる構造が実現されている。
【先行技術文献】
【特許文献】
【０００６】
【特許文献１】特開２０１２−１２２３０３号公報
【特許文献２】特開２０１１−１４４５５４号公報
【発明の概要】
【発明が解決しようとする課題】
【０００７】
上述のように、特許文献１に開示されるような引違い窓と、特許文献２に開示されるような隠し框を備える装飾窓では、框体の構造や、枠体の構造が異なるものである。
【０００８】
そして、近年、装飾窓についても、更なる防火性能の向上が望まれており、特に、隠し框といった特殊な構造を備えるものについては、従来の一般的な隠し框構造を有さない窓の技術をそのまま適用することが難しく、新規な構造が望まれていた。
【０００９】
そこで、本発明は以上の構成に鑑み、隠し框構造を有する滑り出し窓などの防火性能の向上を図るための新規な技術を提案するものである。
【課題を解決するための手段】
【００１０】
本発明の解決しようとする課題は以上の如くであり、次にこの課題を解決するための手段を説明する。
【００１１】
即ち、請求項１に記載のごとく、
建物開口部の室外側の周囲に凹み部を設け、
凹み部に、縦枠および横枠により組まれた枠体の室内側見付け面部の室内側の面を、
凹み部の壁面に当接させて設置することにより、
枠体が建物開口部の室内側から見て室内側開口部構成部材により隠蔽された構造とし、
枠体に開閉可能に配置される障子の枠を構成する框と、枠体が金属製である、サッシとする。
【００１２】
また、請求項２に記載のごとく、障子は開閉可能に構成されるものであり、障子を開閉するための開閉操作機構、障子が開いた状態を維持するためのフリクションロック機構、障子が閉じた状態を維持するための閉ロック機構、といった開閉関連機構を構成するための樹脂部品の一部、又は、全部が、さらに、防火部材が、枠体の厚み方向の範囲内に収められる構成とする。
【発明の効果】
【００１３】
本発明の効果として、以下に示すような効果を奏する。
【００１４】
即ち、請求項１に記載の発明においては、火災時には、框が枠体と同様に燃え難くなり、高い防火性能を発揮することができる。
【００１５】
また、請求項２に記載の発明においては、開閉関連機構を構成する樹脂部品の露出が少なくなり、この樹脂部品の着火が抑制され、防火性能を高めることが可能となる。
【図面の簡単な説明】
【００１６】
【図１】本発明の一実施形態である縦滑り出し窓の内観図である。
【図２】図１のＡ−Ａ線断面図である。
【図３】図１のＢ−Ｂ線断面図である。
【図４】下枠の部位の拡大断面である。
【図５】上枠の部位の拡大断面である。
【図６】吊り元側の縦枠の部位の拡大断面である。
【図７】戸先側の縦枠の部位の拡大断面である。
【図８】火災時に框と枠の隙間が埋められた状態について説明する図である。
【図９】（Ａ）は、外れ止め部材の配置について説明する図である。（Ｂ）は、外れ止め部材の一実施形態について説明する図である。（Ｃ）は、横滑り出し窓における実施形態について説明する図である。
【図１０】（Ａ）は、外れ止め部材と反り防止金具の構造について説明する図である。（Ｂ）は、火災時において、反り防止金具同士が接触する様子について説明する図である。
【図１１】（Ａ）は、外れ止め部材の形状について説明する図である。（Ｂ）は、反り防止金具の形状について説明する図である。
【発明を実施するための形態】
【００１７】
以下、本発明の実施形態を図面に基づいて説明する。
図１は本発明の一実施形態である縦滑り出し窓１の内観図である。この縦滑り出し窓１では、ガラス２０の四方を取り囲む框２１〜２４が、室内側から見たときに隠れる構造である、いわゆる隠し框構造を備える装飾窓が実現されている。なお、装飾窓の実施形態としては、縦滑り出し窓、横滑り出し窓、上げ下げ窓、ＦＩＸ窓、ルーバー窓とすることも考えられる。また、装飾窓とするほか、隠し框構造を備える引違い窓についても、本発明は適用できる。
【００１８】
ガラス２０を備える障子２は、回転ハンドルを有して構成される開閉操作機構６０（「オペレーター機構」とも称される）を操作することによって、室外側へ滑り出すようにして開かれる。
【００１９】
図２は、図１のＡ−Ａ線断面図であり、縦滑り出し窓１の窓枠３０を構成する上枠３１と下枠３４と、縦滑り出し窓１の障子２を構成するガラス２０と、上框２１、下框２４が表されている。この図２に示すごとく、建物開口部の室外側の周囲には、凹み部２０１，２０２が設けられ、凹み部２０１，２０２に、縦枠および横枠により組まれた枠体の室内側見付け面部の室内側の面（上枠３１における取付片２３１、下枠３４における取付片２３４）を、凹み部の壁面２０３，２０４に当接させて設置することにより、枠体が建物開口部の室内側から見て室内側開口部構成部材（窓額縁７５、７８や樹脂製アングル７１，７４）、により隠蔽された構造となっている。窓額縁７５、７８の見付方向の外側には、室内壁２０６が配置されている。
【００２０】
図３は、図１のＢ−Ｂ線断面図であり、縦滑り出し窓１の窓枠３０を構成する縦枠３２，３３と、縦滑り出し窓１の障子２を構成するガラス２０と、縦框２２，２３が表されている。縦框２２は吊り元側、縦框２３は戸先側となるように構成され、縦框２３が室外側へと大きく移動するようにして、障子２が室外側へと滑り出すように構成される。この図３に示すごとく、建物開口部の室外側の周囲には、凹み部３０１，３０２が設けられ、凹み部３０１，３０２に、縦枠および横枠により組まれた枠体の室内側見付け面部の室内側の面（縦枠３２における取付片３３２、縦枠３３における取付片３３３）を、凹み部の壁面３０３，３０４に当接させて設置することにより、枠体が建物開口部の室内側から見て室内側開口部構成部材（窓額縁７６、７７や樹脂製アングル７２，７３）、により隠蔽された構造となっている。窓額縁７６、７７の見付方向の外側には、室内壁２０６が配置されている。
【００２１】
図４には下枠３４の部位の拡大断面が示されている。下枠３４は、アルミニウムを押出成形してなる軽量の金属性の長尺部材であって、障子２が閉じた状態において障子２の下框２４の下方に形成される室外側枠部３４ａと、室外側枠部３４ａよりも室内側に形成される室内側枠部３４ｂと、室外側枠部３４ａと室内側枠部３４ｂの間に形成される中間部枠部３４ｃなどを有して構成される。
【００２２】
室外側枠部３４ａには、横面を構成する板面部３４ｄが形成されており、板面部３４ｄには帯型としたシート状の耐火材５４ｄが取付けられている。
【００２３】
中間部枠部３４ｃには、上下に対面する板面部３４ｅ，３４ｆが形成されており、板面部３４ｅ，３４ｆには、それぞれ帯型としたシート状の耐火材５４ｅ，５４ｆが取付けられている。
【００２４】
室内側枠部３４ｂの上部においてガラス２０より室内側の部位には、樹脂製アングル７４が取付けられている。この  の下方、つまり、内側に隠されるように、開閉操作機構６０の駆動伝達機構６１が収容されている。
【００２５】
駆動伝達機構６１は、樹脂製アングル７４の外側に配置された操作具８５と連結されている。操作具８５は、図２、図３にも示されるように、回転ハンドルにて構成されている。
【００２６】
駆動伝達機構６１は、複数のアーム部材を有して構成されるリンク機構９７を介して、障子２の下框２４に連結される。
【００２７】
樹脂製アングル７４には、網戸８７の縁部材８７ａを嵌着するための溝部７４ａが形成されている。この溝部７４ａの下方に、中間部枠部３４ｃの板面部３４ｅが配置されるようになっている。
【００２８】
室内側枠部３４ｂには室内側に突出する保持片部３４ｍが設けられ、この保持片部３４ｆに対面する保持片部７４ｆが樹脂製アングル７４に設けられる。そして、両保持片部３４ｍ，７１ｆの間には、窓額縁７８の室外側端部が挿入されて、嵌着固定される。窓額縁７８の上面７８ｇと、樹脂製アングル７４の上面７４ｇは、略同一高さとなるように構成される。
【００２９】
図４には下框２４の部位の拡大断面が示されている。下框２４は、アルミニウムを押出成形してなる軽量の金属性の長尺部材であって、室外側で縦面を構成する見付面部２４ａと、室内側で縦面を構成する見付面部２４ｂと、横面を構成する板面部２４ｃ，２４ｄと、を有して構成される。
【００３０】
見付面部２４ａの下端部は、下枠３４の板面部３４ｄよりも下側に位置しており、見付面部２４ａの室内側面には、帯型としたシート状の耐火材５４ｅが取付けられている。
【００３１】
下框２４において、見付面部２４ａ，２４ｂ、及び、板面部２４ｃにより上方が開放される溝状の空間２４ｋが構成され、この空間２４ｋ内に断面略コ字状のグレーチングチャネル６８を介してガラス２０の下端部が挿入されて、ガラス２０と下框２４が一体化される。
【００３２】
グレーチングチャネル６８と、下框２４の見付面部２４ａ及び板面部２４ｃの間には、火災時においてガラス２０が下框２４から外れることを防止するための外れ止め部材８４が設けられている。この外れ止め部材８４は、板面部２４ｃに対してボルト固定される。
【００３３】
グレーチングチャネル６８と、下框２４の板面部２４ｃの間の位置には、帯型としたシート状の耐火材５４ｇが設けられている。この耐火材５４ｇは、板面部２４ｃに取付けられている。
【００３４】
下框２４の室内側の見付面部２４ｂには、リンク機構９７が接続されており、リンク機構９７が室外方向に伸ばされることによって、下框２４が室外側へと滑り出されるようになっている。
【００３５】
下框２４の下側の板面部２４ｄには、フリクションロック機構９４が連結されている。このフリクションロック機構９４は、下枠３４に固定されるガイド枠３４ｇに対して摺動可能に設けられるものであり、障子２が開かれた際に、下框２４とガイド枠３４ｇの間で突っ張ることによって摩擦力を生じさせ、障子２が開いた状態を維持できるようにしている。
【００３６】
下框２４の室内側の見付面部２４ｂは、室内側から見たときに、樹脂製アングル７４よりも見付方向Ｎにおいて外側（ガラス２０の中心から離れる方向）に配置されており、これにより、見付面部２４ｂが室内側から見たときに隠れる（樹脂製アングル７４によって見えない）、隠し框構造が実現されている。
【００３７】
図５には上枠３１の部位の拡大断面が示されている。上枠３１は、アルミニウムを押出成形してなる軽量の金属性の長尺部材であって、障子２が閉じた状態において障子２の上框２１の上方に形成される室外側枠部３１ａと、室外側枠部３１ａよりも室内側に形成される室内側枠部３１ｂと、室外側枠部３１ａと室内側枠部３１ｂの間に形成される中間部枠部３１ｃなどを有して構成される。
【００３８】
室外側枠部３１ａには、横面を構成する板面部３１ｄが形成されている。
【００３９】
中間部枠部３１ｃには、上下方向の縦面部３１ｅが形成されており、縦面部３１ｅには、帯型としたシート状の耐火材５１ｅが取付けられている。
【００４０】
室内側枠部３１ｂの下部においてガラス２０より室内側の部位には、樹脂製アングル７１が取付けられている。
【００４１】
樹脂製アングル７１には、網戸８７の縁部材８７ａを嵌着するための溝部７１ａが形成されている。この溝部７１ａの上方に、中間部枠部３１ｃの縦面部３１ｅが配置されるようになっている。
【００４２】
室内側枠部３１ｂには室内側に突出する保持片部３１ｆが設けられ、この保持片部３１ｆに対面する保持片部７１ｆが樹脂製アングル７１に設けられる。そして、両保持片部３１ｆ，７１ｆの間には、窓額縁７５の室外側端部が挿入されて、嵌着固定される。窓額縁７５の下面７５ｇと、樹脂製アングル７１の室内側の下面７１ｇは、略同一高さとなるように構成される。
【００４３】
図５には上框２１の部位の拡大断面が示されている。上框２１は、アルミニウムを押出成形してなる軽量の金属性の長尺部材であって、室外側で縦面を構成する見付面部２１ａと、室内側で縦面を構成する見付面部２１ｂと、横面を構成する板面部２１ｃと、を有して構成される。
【００４４】
見付面部２１ａの上端部は、上枠３１の板面部３１ｄよりも上側に位置しており、見付面部２１ａの室内側面には、帯型としたシート状の耐火材５１ｅが取付けられている。
【００４５】
上框２１において、見付面部２１ａ，２１ｂ、及び、板面部２１ｃにより下方が開放される溝状の空間２１ｆが構成され、この空間２１ｆ内に断面略コ字状のグレーチングチャネル６５を介してガラス２０の上端部が挿入されて、ガラス２０と上框２１が一体化される。
【００４６】
グレーチングチャネル６５と、上框２１の見付面部２１ａ及び板面部２１ｃの間には、火災時においてガラス２０が上框２１から外れることを防止するための外れ止め部材８１が設けられている。この外れ止め部材８１は、板面部２１ｃに対してボルト固定される。
【００４７】
グレーチングチャネル６５と、上框２１の板面部２１ｃの間の位置には、帯型としたシート状の耐火材５１ｇが設けられている。この耐火材５１ｇは、外れ止め部材８１、或いは、板面部２１ｃに取付けることができる。
【００４８】
上框２１の板面部２１ｃにおいて、ガラス２０と反対側となる上面には、耐火材５１ｈが取付けられる。
【００４９】
上框２１の板面部２１ｃには、フリクションロック機構９１が連結されている。このフリクションロック機構９１は、上枠３１に固定されるガイド枠３１ｇに対して摺動可能に設けられるものであり、障子２が開かれた際に、上框２１とガイド枠３１ｇの間で突っ張ることによって摩擦力を生じさせ、障子２が開いた状態を維持できるようにしている。
【００５０】
上框２１の室内側の見付面部２１ｂは、室内側から見たときに、樹脂製アングル７１よりも見付方向Ｎにおいて外側（ガラス２０の中心から離れる方向）に配置されており、これにより、見付面部２１ｂが室内側から見たときに隠れる（樹脂製アングル７１によって見えない）、隠し框構造が実現されている。
【００５１】
図６には吊り元側の縦枠３２の部位の拡大断面が示されている。縦枠３２は、アルミニウムを押出成形してなる軽量の金属性の長尺部材であって、障子２が閉じた状態において障子２の縦框２２の側方に形成される室外側枠部３２ａと、室外側枠部３２ａよりも室内側に形成される室内側枠部３２ｂと、室外側枠部３２ａと室内側枠部３２ｂの間に形成される中間部枠部３２ｃなどを有して構成される。
【００５２】
室外側枠部３２ａには、見込方向Ｍに延びる見込面部３２ｄが形成されており、見込面部３２ｄには、帯型としたシート状の耐火材５２ｄが取付けられている。
【００５３】
中間部枠部３２ｃには、見付方向Ｎに延びる見付面部３２ｅが形成されており、見付面部３２ｅには、帯型としたシート状の耐火材５２ｅが取付けられている。
【００５４】
室内側枠部３２ｂにおいてガラス２０より室内側の部位には、樹脂製アングル７２が取付けられている。
【００５５】
樹脂製アングル７２には、網戸８７の縁部材８７ａを嵌着するための溝部７２ａが形成されている。この溝部７２ａの側方に、中間部枠部３２ｃの見付面部３２ｅが配置されるようになっている。
【００５６】
室内側枠部３２ｂには室内側に突出する保持片部３２ｆが設けられ、この保持片部３２ｆに対面する保持片部７２ｆが樹脂製アングル７２に設けられる。そして、両保持片部３２ｆ，７２ｆの間には、窓額縁７６の室外側端部が挿入されて、嵌着固定される。窓額縁７６の見込面７６ｇと、樹脂製アングル７２の見込面７２ｇは、略同一面に配置されるように構成されている。
【００５７】
図６には縦框２２の部位の拡大断面が示されている。縦框２２は、アルミニウムを押出成形してなる軽量の金属性の長尺部材であって、室外側で縦面を構成する見付面部２２ａと、室内側で縦面を構成する見付面部２２ｂと、見込面を構成する見込面部２２ｃと、を有して構成される。
【００５８】
見付面部２２ａの見付方向Ｎの外側の側端部には、パッキン２２ｐが設けられており、パッキン２２ｐが縦枠３２の見込面部３２ｄに当接するようにして気密性が確保されている。
【００５９】
縦框２２において、見付面部２２ａ，２２ｂ、及び、見込面部２２ｃにより見付方向Ｎ内側が開放される溝状の空間２２ｆが構成され、この空間２２ｆ内に断面略コ字状のグレーチングチャネル６６を介してガラス２０の側端部が挿入されて、ガラス２０と縦框２２が一体化される。
【００６０】
グレーチングチャネル６６と、縦框２２の見付面部２２ａ及び見込面部２２ｃの間には、火災時においてガラス２０が縦框２２から外れることを防止するための外れ止め部材８２が設けられている。この外れ止め部材８２は、見込面部２２ｃに対してボルト固定される。
【００６１】
グレーチングチャネル６６と、縦框２２の見込面部２２ｃの間の位置には、帯型としたシート状の耐火材５２ｇが設けられている。この耐火材５２ｇは、外れ止め部材８２、或いは、見込面部２２ｃに取付けることができる。
【００６２】
縦框２２の見込面部２２ｃにおいて、ガラス２０と反対側の面には、耐火材５２ｈが取付けられる。
【００６３】
縦框２２の見込面部２２ｃ、及び、縦枠３２の見込面部３２ｄには、互いに対向する反り防止金具９２，９３が間隔を空けて設けられており、火災によって障子２の框が伸びた際に、反り防止金具９２，９３の間隔を小さくして框の反りを防止し、ガラス２０が外れ難くなるようにしている。
【００６４】
縦框２２の室内側の見付面部２２ｂは、室内側から見たときに、樹脂製アングル７２よりも見付方向Ｎにおいて外側（ガラス２０の中心から離れる方向）に配置されており、これにより、見付面部２２ｂが室内側から見たときに隠れる（樹脂製アングル７２によって見えない）、隠し框構造が実現されている。
【００６５】
図７には戸先側の縦枠３３の部位の拡大断面が示されている。縦枠３３は、アルミニウムを押出成形してなる軽量の金属性の長尺部材であって、障子２が閉じた状態において障子２の縦框２３の側方に形成される室外側枠部３３ａと、室外側枠部３３ａよりも室内側に形成される室内側枠部３３ｂと、室外側枠部３３ａと室内側枠部３３ｂの間に形成される中間部枠部３３ｃなどを有して構成される。
【００６６】
室外側枠部３３ａには、見込方向Ｍに伸びる見込面部３３ｄが形成されており、見込面部３３ｄには、帯型としたシート状の耐火材５３ｄが取付けられている。
【００６７】
中間部枠部３３ｃには、見付方向Ｎに延びる方向の見付面部３３ｅが形成されており、見付面部３３ｅには、帯型としたシート状の耐火材５３ｅが取付けられている。
【００６８】
室内側枠部３３ｂにおいてガラス２０より室内側の部位には、樹脂製アングル７３が取付けられている。
【００６９】
樹脂製アングル７３には、網戸８７の縁部材８７ａを嵌着するための溝部７３ａが形成されている。この溝部７３ａの側方に、中間部枠部３３ｃの見付面部３３ｅが配置されるようになっている。
【００７０】
室内側枠部３３ｂには室内側に突出する保持片部３３ｆが設けられ、この保持片部３３ｆに対面する保持片部７３ｆが樹脂製アングル７３に設けられる。そして、両保持片部３３ｆ，７３ｆの間には、窓額縁７７の室外側端部が挿入されて、嵌着固定される。窓額縁７７の見込面７７ｇと、樹脂製アングル７３の見込面７３ｇは、略同一面に配置されるように構成されている。
【００７１】
図７には縦框２３の部位の拡大断面が示されている。縦框２３は、アルミニウムを押出成形してなる軽量の金属性の長尺部材であって、室外側で縦面を構成する見付面部２３ａと、室内側で縦面を構成する見付面部２３ｂと、見込面を構成する見込面部２３ｃと、を有して構成される。
【００７２】
見付面部２３ａの見付方向Ｎの外側の側端部には、パッキン２３ｐが設けられており、パッキン２３ｐが縦枠３３の見込面部３３ｄに当接するようにして気密性が確保されている。
【００７３】
縦框２３において、見付面部２３ａ，２３ｂ、及び、見込面部２３ｃにより見付方向Ｎ内側が開放される溝状の空間２３ｆが構成され、この空間２３ｆ内に断面略コ字状のグレーチングチャネル６７を介してガラス２０の側端部が挿入されて、ガラス２０と縦框２３が一体化される。
【００７４】
グレーチングチャネル６７と、縦框２３の見付面部２３ａ及び見込面部２３ｃの間には、火災時においてガラス２０が縦框２３から外れることを防止するための外れ止め部材８３が設けられている。この外れ止め部材８３は、見込面部２３ｃに対してボルト固定される。
【００７５】
グレーチングチャネル６７と、縦框２３の見込面部２３ｃの間の位置には、帯型としたシート状の耐火材５３ｇが設けられている。この耐火材５３ｇは、外れ止め部材８３、或いは、見込面部２３ｃに取付けることができる。
【００７６】
縦框２３の見込面部２３ｃにおいて、ガラス２０と反対側の面には、耐火材５３ｈが取付けられる。
【００７７】
戸先側となる縦框２３は、閉ロック機構９６を介して縦枠３３に対してロックされるように構成されている。この閉ロック機構９６によって、縦框２３がしっかりと縦枠３３に対して保持され、障子２を閉じた状態が維持できるようになっている。
【００７８】
縦框２３の室内側の見付面部２３ｂは、室内側から見たときに樹脂製アングル７３よりも見付方向Ｎにおいて外側（ガラス２０の中心から離れる方向）に配置されており、これにより、見付面部２３ｂが室内側から見たときに隠れる（樹脂製アングル７３によって見えない）、隠し框構造が実現されている。
【００７９】
次に、以上の構成において特徴的な構成を詳細に説明する。
まず、図２及び図４において代表的に示されるように、
建物開口部の室外側の周囲には、凹み部２０１，２０２が設けられ、凹み部２０１，２０２に、縦枠および横枠により組まれた枠体の室内側見付け面部の室内側の面（上枠３１における取付片２３１、下枠３４における取付片２３４）を、凹み部の壁面２０３，２０４に当接させて設置することにより、枠体が建物開口部の室内側から見て室内側開口部構成部材（窓額縁７５、７８や樹脂製アングル７１，７４）、により隠蔽された構造とし、枠体（下枠３４）に開閉可能に配置される障子２の枠を構成する框（下框２４）と、枠体（下枠３４）が金属製であることとしている。
【００８０】
これにより、火災時には、框が枠体と同様に燃え難くなり、高い防火性能を発揮することができる。
【００８１】
また、図４に代表的に示されるように、框（下框２４）は、アルミニウム部材である、こととするものである。
【００８２】
これにより、例えば、框（下框２４）を樹脂部材とアルミニウム部材の複合の枠体で構成する場合と比較して、火災時における変形が抑制され、框からガラス２０が外れてしまうことを防止できる。
【００８３】
また、図４、図５、図７に代表的に示されるように、障子２は開閉可能に構成されるものであり、障子２を開閉するための開閉操作機構６０、障子２が開いた状態を維持するためのフリクションロック機構９１，９４、障子２が閉じた状態を維持するための閉ロック機構９６、といった開閉関連機構を構成するための樹脂部品の一部、又は、全部が、さらに、防火部材（耐火材５４ｄ，５４ｅ，５４ｆ）が、枠体（下枠３４、上枠３１、縦枠３３）の厚み方向の範囲（見付方向Ｎの寸法の範囲）内に収められる構成としている。
【００８４】
これにより、開閉関連機構を構成する樹脂部品の露出が少なくなり、この樹脂部品の着火が抑制され、防火性能を高めることが可能となる。
【００８５】
また、図４に代表的に示されるように、火災時において、框（下框２４）の見付方向Ｎにおいて外側に配置される枠（下枠３４）と、框（下框２４）の間の隙間を埋めるための防火部材（耐火材５４ｄ，５４ｅ，５４ｆ）を備える、隠し框構造を備えるサッシとしている。
【００８６】
これにより、例えば、図８に示すごとく、火災時には、框（下框２４）と枠（下枠３４）の隙間Ｓが埋められることになり、当該隙間Ｓを通じた延焼の広がりを防止することができる。また、耐火材５４ｄ，５４ｅ，５４ｆが断熱材としても機能し、熱の伝達を防止することができる。また、当該隙間Ｓに配置される樹脂部材が耐火材５４ｄ，５４ｅ，５４ｆを覆うことによって、樹脂部材への着火が防止される。
【００８７】
なお、防火部材としては、市販品を用いることができる。具体的には、例えば、積水化学工業株式会社製の商品名「フィブロック」（登録商標）といった、有機系耐火材を使用することができる。通常の状態では柔軟な薄いシート状で、２００℃以上に加熱されると発泡して厚さ方向に５〜４０倍に膨張し、断熱層を形成するため、本発明の実施に好適である。また、火災時の消失や、有害ガス発生もないといった利点もある。また、貼着で設置することが可能なため、特に、長尺部材に対する施工においては、施工性にも優れたものとなる。
【００８８】
また、図３、図６、及び、図９（Ａ）に代表的に示されるように、建物開口部の室外側の周囲には、凹み部３０１，３０２が設けられ、凹み部３０１，３０２に、縦枠および横枠により組まれた枠体の室内側見付け面部の室内側の面（縦枠３２における取付片３３２、縦枠３３における取付片３３３）を、凹み部の壁面３０３，３０４に当接させて設置することにより、枠体が建物開口部の室内側から見て室内側開口部構成部材（窓額縁７６、７７や樹脂製アングル７２，７３）、により隠蔽された構造とし、枠体（縦枠３２）に開閉可能に配置される消磁２の枠を構成する框（縦框２２）と、枠体（縦枠３２（図６））が金属製であり、框（縦框２２）には、火災時において、框（縦框２２）からのガラス２０の外れを防止するための外れ止め部材８２が設けられることとしている。
【００８９】
これにより、火災時には、框（縦框２２）からのガラス２０の外れが防止され、高い防火性能を発揮することができる。なお、この外れ止め部材８２は、枠（縦框２２（図２））を補強する補強部材としても機能することになる。
【００９０】
また、図６に代表的に示されるように、外れ止め部材８２は、ガラス２０を嵌め込むための框（縦框２２）の溝状の空間２２ｆ内に収められる、こととしている。
【００９１】
これにより、外れ止め部材８２を框（縦框２２）の内側に隠すことが可能となり、隠し框構造において、外れ止め部材８２によって美観が損なわれることがない。
【００９２】
また、図９（Ｂ）に代表的に示されるように、外れ止め部材８２は、框（縦框２２）の長手方向に沿って設けられる長尺部材であって、框（縦框２２）の長さよりも短く構成されることとしている。
【００９３】
図９（Ｂ）の例では、縦框２２について、縦框２２の約２／３の長さの外れ止め部材８２を設けた構成としている。同様に、縦框２３については、縦框２３の約２／３の長さの外れ止め部材８３を設けた構成としている。同様に、上框２１については、上框２１の約１／２の長さの外れ止め部材８１を設けた構成としている。下框２４については、下框２４の約１／５の長さの二つの外れ止め部材８４を間隔を空けて設けた構成としている。
【００９４】
これにより、例えば、サイズの異なるサッシが存在し、各サッシの框の長さ寸法が異なる場合においても、各框の長さ寸法に一対一で対応する長さの外れ止め部材を準備する必要がなく、外れ止め部材について部品の共用化が図られる。また、例えば、寸法が１ｍｍ単位で設計される特注サイズのサッシの場合には、框の長さが適宜設計されるものであるが、外れ止め部材が框よりも短いものとしておくことにより、特注サイズのサッシにも対応することが可能となる。
【００９５】
なお、外れ止め部材の長さは、適宜設定することが可能であるが、例えば、図９（Ｂ）のように縦寸法の長い縦滑り出し窓１の場合には、その長手となる方向の縦框２２の寸法に対して、１／２よりも長く構成されることが好ましい。また、一本の連続ものではなく、複数のパーツを間隔を空けて配置することで、全体として１／２よりも長い範囲において、外れ止めの機能が実施されることとしてもよい。
【００９６】
また、図５及び図９（Ｂ）に示すごとく、障子２は、矩形のガラス２０を框組みしてなるものであり、四隅のコーナー部Ｋａ〜Ｋｄにおいて、少なくとも、互いに対角関係にある二箇所のコーナー部Ｋａ，Ｋｃの近傍において、外れ止め部材８１，８２，８４が配置されることとしている。
【００９７】
これにより、上下左右の四隅における対角位置において、効果的に外れ止めを抑制することができる。即ち、上下方向において少なくとも一箇所、左右方向において、少なくとも一箇所において、外れ止めを抑制できることとなる。なお、近傍とは、框の長さ方向において、その中心よりもコーナー部Ｋａ〜Ｋｄ側に近い側をいうものである。
【００９８】
また、図５及び図９（Ｂ）に示すように、サッシ（縦滑り出し窓１）は、吊り元側を基点として回動する滑り出し窓であって、サッシ（縦滑り出し窓１）の上部に水平方向に配置される框（上框２１）に設けられる外れ止め部材８１は、框（上框２１）の長手方向において、吊り元側（図９（Ｂ）における吊り元ＴＭ側）に設けられる、こととしている。
【００９９】
これにより、火災の際に框から外れ易いガラスの上部において、ガラス２０が外れてしまうことをしっかりと抑制できることになる。なお、ガラスの下部においては、その自重が下框２４に作用することになるため、比較的ガラス２０が外れ難いものとなる。また、吊り元側にフリクションロック機構９１が設けられ、このフリクションロック機構９１が樹脂部品を有する場合においては、この樹脂部品の発火に伴う框（上框２１）の強度低下が懸念されるため、特に吊り元側に外れ止め部材８１を設けることが好ましい。また、戸先側（図９（Ｂ）における戸先ＴＳ側）について閉ロック機構９６（図７）が設けられる形態については、閉ロック機構９６によって戸先側がしっかりと保持されることから、この閉ロック機構９６がない吊り元側に外れ止め部材８１を設けることが好ましい。
【０１００】
なお、図９（Ｃ）に示すように、横滑り出し窓１Ａでの実施形態では、サッシ（横滑り出し窓１Ａ）の側部に位置し上下方向に配置される框（縦框２２Ａ，２３Ａ）に設けられる外れ止め部材８２Ａ，８３Ａは、框（縦框２２Ａ，２３Ａ）の長手方向において、吊り元ＴＭ側に設ける形態とすることが考えられる。
【０１０１】
また、図１０（Ａ）に代表的に示されるように、外れ止め部材８２については、少なくとも、ガラス２０の室外側面２０ａに対向する部位を有し、火災時において、ガラス２０の室外側面２０ａを保持するための対向面部８２ａを有する、こととしている。
【０１０２】
これにより、火災時においては、ガラス２０の室外側面２０ａが保持され、ガラス２０が室外側へ外れてしまうことを効果的に防止できる。特に、框（縦框２２）の室外側の縦面を構成する見付面部２２ａは、外部に露出しており、室外側で火災が生じた際に炎に直接さらされることになるため、室内側の縦面を構成する見付面部２２ｂと比較して温度上昇がし易く、変形がし易いものとなることから、対向面部８２ａを設けることが好ましい実施形態となる。逆に、室内側の縦面を構成する見付面部２２ｂは、室内側で火災が生じた場合であっても、縦枠３２の室内側枠部３２ｂが存在するなどして、室内側の炎に直接さらされることがないため、変形がし難い構成となる。ただし、室内側の変形の可能性も考慮して、略コ字断面の外れ止め部材を構成することとしてもよい。
【０１０３】
なお、本実施形態では、外れ止め部材８２は、図１１（Ａ）にも示されるように、略Ｌ字状の長尺金具にて構成することとし、ガラス２０の室外側面２０ａに対抗する対向面部８２ａと、框（縦框２２）の見込面部２２ｃにビス固定されるための固定面部８２ｂと、を有する構成としている。
【０１０４】
また、図１０（Ａ）及び図１１（Ｂ）に示されるように、建物開口部の室外側の周囲には、凹み部３０１，３０２が設けられ、凹み部３０１，３０２に、縦枠および横枠により組まれた枠体の室内側見付け面部の室内側の面（縦枠３２における取付片３３２、縦枠３３における取付片３３３）を、凹み部の壁面３０３，３０４に当接させて設置することにより、枠体が建物開口部の室内側から見て室内側開口部構成部材（窓額縁７６、７７や樹脂製アングル７２，７３）、により隠蔽された構造とし、枠体に開閉可能に配置される障子２の框（縦框２２）には見付方向Ｎにおいて外側に突出する反り防止金具９２が設けられ、框（縦框２２）の見付方向Ｎにおいて外側に配置される枠体（縦枠３２）には見付方向Ｎ内側に突出し反り防止金具９２に対向する反り防止金具９３が設けられ、図１０（Ｂ）に示すごとく、火災時における障子２を構成する部材の熱による伸びにより縦框２２が見付方向Ｎにおいて外側にずれた際に、両反り防止金具９２，９３同士が接触する構成としている。
【０１０５】
これにより、火災時における縦框２２の反りが抑制され、縦枠３２と縦框２２の間の隙間増大によって発火することが防止され、また、障子２全体としての反りの抑制による障子２の外れ防止やガラス２０の破損防止が図られる。
【０１０６】
また、図９（Ｂ）に示されるように、反り防止金具９２，９３は、上下方向（縦框２２と縦枠３２の長手方向）の複数箇所に設けられる、こととしている。
【０１０７】
これにより、上下方向の複数箇所において、縦框２２の反りや、障子２全体としての反りを抑制することができる。
【０１０８】
また、縦枠３２に設けられる反り防止金具９３は、縦框２２に設けられる反り防止金具９２よりも室外側に設けられる、こととする。
【０１０９】
これにより、火災時には、縦框２２に設けられる反り防止金具９２の室外方向への移動が、縦枠３２に設けられる反り防止金具９３によって規制され、障子２が室外方向に外れることを抑制できる。
【０１１０】
また、図１０（Ａ）及び図１１（Ｂ）に示すごとく、両反り防止金具９２，９３には、平面視において、室外側よりも室内側が見付方向Ｎにおいて外側に配置されるような傾斜を有する当接面９２ａ，９３ａがそれぞれ形成され、当接面９２ａ，９３ａ同士が接触する構成としている。
【０１１１】
これにより、図１０（Ｂ）に示すごとく、火災時において当接面９２ａ，９３ａ同士が面で接触することにより、その接触面を広く確保することができる。また、傾斜を設定することで、障子２の開閉時において、反り防止金具９２，９３同士が干渉して開閉の妨げが生じないようにすることができる。
【０１１２】
なお、図６及び図１０（Ａ）に示すように、反り防止金具９２は、その取付面部９２ｃが縦框２２の見込面部２２ｃに対しビス９２ｂにより固定され、反り防止金具９３は、その取付面部９３ｃが縦枠３２の見込面部３２ｄに対してビス９３ｂにより固定される。
【産業上の利用可能性】
【０１１３】
本発明は、縦滑り出し窓、横滑り出し窓、上げ下げ窓、ＦＩＸ窓、ルーバー窓などの装飾窓のほか、隠し框構造を備える引違い窓についても適用できる。
【符号の説明】
【０１１４】
１    縦滑り出し窓
２    障子
２０    ガラス
２１    上框
２２    縦框
２３    縦框
２４    下框
３０    窓枠
３１    上枠
３２    縦枠
３３    縦枠
３４    下枠
５１ｅ    耐火材
６０    開閉操作機構
６１    駆動伝達機構
８１    外れ止め部材
９２    反り防止金具
９３    反り防止金具
９６    閉ロック機構
Ｍ    見込方向
Ｎ    見付方向
【図１】
2014109129.tif 000003
【図２】
2014109129.tif 000004
【図３】
2014109129.tif 000005
【図４】
2014109129.tif 000006
【図５】
2014109129.tif 000007
【図６】
2014109129.tif 000008
【図７】
2014109129.tif 000009
【図８】
2014109129.tif 000010
【図９】
2014109129.tif 000011
【図１０】
2014109129.tif 000012
【図１１】
2014109129.tif 000013